(57)【特許請求の範囲】
【請求項１】
所与の切替タイミングで、第１映像と第２映像とを切り替えて交互に出力するプロジェクターであって、
第１電極及び第２電極を含む放電灯と、
前記放電灯を駆動する駆動電流を前記放電灯に供給する放電灯駆動部と、
前記放電灯駆動部を制御する制御部と、
を含み、
時間的に隣り合う前記切替タイミングに挟まれる期間は、第１期間で始まり、第２期間で終わり、
前記制御部は、少なくとも時間的に隣り合う前記切替タイミングに挟まれる期間中継続する第１制御期間に第１制御を行い、少なくとも時間的に隣り合う前記切替タイミングに挟まれる期間中継続し前記第１制御期間とは異なる第２制御期間に第２制御を行い、
前記第１制御及び前記第２制御において、前記駆動電流の絶対値が、前記第１期間では相対的に小さくなり、前記第２期間では相対的に大きくなるように前記放電灯駆動部を制御し、かつ、
前記第１制御において、
前記第１期間では、
前記駆動電流として交流電流を前記放電灯に供給させるように前記放電灯駆動部を制御し、
前記第２期間では、
前記第２期間中に前記第１電極に与えられるエネルギーが、前記第２期間中に前記第２電極に与えられるエネルギーよりも大きくなる前記駆動電流を前記放電灯に供給させるように前記放電灯駆動部を制御する第１制御処理を行い、
前記第２制御において、
前記第１期間では、
前記駆動電流として交流電流を前記放電灯に供給させるように前記放電灯駆動部を制御し、
前記第２期間では、
前記第２期間中に前記第２電極に与えられるエネルギーが、前記第２期間中に前記第１電極に与えられるエネルギーよりも大きくなる前記駆動電流を前記放電灯に供給させるように前記放電灯駆動部を制御する第２制御処理を行う、プロジェクター。
【請求項２】
請求項１に記載のプロジェクターにおいて、
前記制御部は、
時間的に隣り合う前記第１制御期間に挟まれる期間の少なくとも一部となる期間において、前記第２制御を行う、プロジェクター。
【請求項３】
請求項１及び２のいずれか１項に記載のプロジェクターにおいて、
前記制御部は、少なくとも時間的に隣り合う前記切替タイミングに挟まれる期間中継続し前記第１制御期間及び前記第２制御期間とは異なる第３制御期間に第３制御を行い、
前記第３制御において、
前記駆動電流の絶対値が、前記第１期間では相対的に小さくなり、前記第２期間では相対的に大きくなるように前記放電灯駆動部を制御し、かつ、
前記第２期間中に前記第１電極に与えられるエネルギーと前記第２電極に与えられるエネルギーとの差が、前記第１制御及び前記第２制御の場合よりも小さい前記駆動電流を前記放電灯に供給させるように前記放電灯駆動部を制御し、
時間的に隣り合う前記第３制御期間に挟まれる期間において、前記第１制御及び前記第２制御の少なくとも一方を行う、プロジェクター。
【請求項４】
請求項３に記載のプロジェクターにおいて、
前記放電灯の劣化状態を検出する状態検出部を含み、
前記制御部は、前記劣化状態の進行に伴って、前記第３制御期間の長さを短くする、プロジェクター。
【請求項５】
請求項３に記載のプロジェクターにおいて、
前記放電灯の劣化状態を検出する状態検出部を含み、
前記制御部は、前記劣化状態の進行に伴って、前記第１制御期間及び前記第２制御期間の長さを長くする、プロジェクター。
【請求項６】
請求項１ないし５のいずれか１項に記載のプロジェクターにおいて、
前記制御部は、
前記第１制御処理では、前記駆動電流として、前記第１電極が陽極となる直流電流を前記放電灯に供給させるように前記放電灯駆動部を制御し、
前記第２制御処理では、前記駆動電流として、前記第２電極が陽極となる直流電流を前記放電灯に供給させるように前記放電灯駆動部を制御する、プロジェクター。
【請求項７】
請求項１ないし５のいずれか１項に記載のプロジェクターにおいて、
前記制御部は、
前記第１制御処理では、前記駆動電流として、１周期に占める前記第１電極が陽極になる時間が、前記第２電極が陽極になる時間よりも長い交流電流を前記放電灯に供給させるように前記放電灯駆動部を制御し、
前記第２制御処理では、前記駆動電流として、１周期に占める前記第２電極が陽極になる時間が、前記第１電極が陽極になる時間よりも長い交流電流を前記放電灯に供給させるように前記放電灯駆動部を制御する、プロジェクター。
【請求項８】
請求項１ないし５のいずれか１項に記載のプロジェクターにおいて、
前記制御部は、
前記第１制御処理では、前記駆動電流として、交流電流を供給させる期間と、前記第１電極が陽極となる直流電流を前記放電灯に供給させる期間と、を含むように前記放電灯駆動部を制御し、
前記第２制御処理では、前記駆動電流として、交流電流を供給させる期間と、前記第２電極が陽極となる直流電流を前記放電灯に供給させる期間と、を含むように前記放電灯駆動部を制御する、プロジェクター。
【発明の詳細な説明】
【技術分野】
【０００１】
本発明は、プロジェクターに関する。
【背景技術】
【０００２】
高圧水銀ランプやメタルハライドランプなどの放電灯を用いたプロジェクターが実用化されている。このようなプロジェクターとして、例えば、特許文献１には、映像信号に同期して、色分離手段などに応じて光源の強度を変化させる手段を有するプロジェクターが開示されている。しかしながら、単純に光源の強度を変化させると、放電灯の電極の消耗が著しくなる問題が特許文献２に記載されている。
【０００３】
また近年、高圧水銀ランプやメタルハライドランプなどの放電灯を用い、立体映像を出力するプロジェクターが実用化されている。
【０００４】
立体映像を出力する方式の１つに、右目用映像と左目用映像とを切り替えて交互に出力する方式（例えば、「ＸＰＡＮＤ  ｂｅｙｏｎｄ  ｃｉｎｅｍａ（Ｘ６Ｄ  Ｌｉｍｉｔｅｄ社の商標）」方式などのアクティブシャッターメガネ方式）がある。この方式では、映像信号に同期したアクティブシャッターメガネなどを用いて、右目用映像を右目に、左目用映像を左目に見せることにより、左右の目の視差を用いて映像を立体的に見せている。
【先行技術文献】
【特許文献】
【０００５】
【特許文献１】特開２００３−１０２０３０号公報
【特許文献２】特開２００９−２３７３０２号公報
【発明の概要】
【発明が解決しようとする課題】
【０００６】
右目用映像と左目用映像とを交互に出力する方式で立体映像を投影する場合は、従来の平面映像（２次元映像）を投影する場合に比べて、右目と左目とに入る光量が半分以下となる。また、右目用映像が左目に入ったり左目用映像が右目に入ったりするクロストークが生じると、映像が立体的に感じられなくなるため、アクティブシャッターが両方とも閉じている期間が必要となる。したがって、右目用映像と左目用映像とを交互に出力する方式で立体映像を投影する場合には、従来の平面映像を投影する場合よりも映像が暗く見えるという問題点がある。映像を明るく見せるためには、単純に駆動電力を上げることも考えられるが、プロジェクターの消費電力を上げたり、駆動電力を上げることに伴う周辺部品の劣化を促進したりするなどの問題点がある。
【０００７】
また、映像を明るく見せるために、アクティブシャッターが両方とも閉じている期間に放電灯の輝度を下げ、アクティブシャッターのいずれかが開いている期間に放電灯の輝度を上げる制御を行うと、放電灯の輝度を下げている期間に放電灯の電極の温度が下がり、電極先端の溶融性が不十分となるため、電極が変形する可能性がある。電極が変形すると、フリッカーの発生などを引き起こす可能性がある。したがって、電極の変形を抑制するためには格別の配慮が必要となる。
【０００８】
本発明は、以上のような問題点に鑑みてなされたものである。本発明のいくつかの態様によれば、電極の変形を抑制しつつ、映像を明るく見えるように投影できるプロジェクターを提供することができる。
【課題を解決するための手段】
【０００９】
本発明に係るプロジェクターは、所与の切替タイミングで、第１映像と第２映像とを切り替えて交互に出力するプロジェクターであって、第１電極及び第２電極を含む放電灯と、前記放電灯を駆動する駆動電流を前記放電灯に供給する放電灯駆動部と、前記放電灯駆動部を制御する制御部と、を含み、時間的に隣り合う前記切替タイミングに挟まれる期間は、第１期間で始まり、第２期間で終わり、前記制御部は、少なくとも時間的に隣り合う前記切替タイミングに挟まれる期間中継続する第１制御期間に第１制御を行い、少なくとも時間的に隣り合う前記切替タイミングに挟まれる期間中継続し前記第１制御期間とは異なる第２制御期間に第２制御を行い、前記第１制御及び前記第２制御において、前記駆動電流の絶対値が、前記第１期間では相対的に小さくなり、前記第２期間では相対的に大きくなるように前記放電灯駆動部を制御し、かつ、前記第１制御において、前記第１期間では、前記駆動電流として交流電流を前記放電灯に供給させるように前記放電灯駆動部を制御し、前記第２期間では、前記第２期間中に前記第１電極に与えられるエネルギーが、前記第２期間中に前記第２電極に与えられるエネルギーよりも大きくなる前記駆動電流を前記放電灯に供給させるように前記放電灯駆動部を制御する第１制御処理を行い、前記第２制御において、前記第１期間では、前記駆動電流として交流電流を前記放電灯に供給させるように前記放電灯駆動部を制御し、前記第２期間では、前記第２期間中に前記第２電極に与えられるエネルギーが、前記第２期間中に前記第１電極に与えられるエネルギーよりも大きくなる前記駆動電流を前記放電灯に供給させるように前記放電灯駆動部を制御する第２制御処理を行う。
【００１０】
本発明によれば、第１制御処理においては第１電極に、第２制御処理においては第２電極に与えられるエネルギーが大きくなるため、電極の溶融性が高まる。したがって、電極の変形を抑制できる。
【００１１】
また、本発明によれば、制御部は、駆動電流の絶対値が、第１期間では相対的に小さくなり、第２期間では相対的に大きくなるように放電灯駆動部を制御するため、映像を明るく見えるように投影できるプロジェクターを実現できる。
【００１２】
このプロジェクターは、前記制御部は、時間的に隣り合う前記第１制御期間に挟まれる期間の少なくとも一部となる期間において、前記第２制御を行ってもよい。
【００１３】
これにより、放電灯の第１電極と第２電極との熱負荷バランスを保つことができる。したがって、放電灯の電極が偏って消耗することを抑制できる。
【００１４】
このプロジェクターは、前記制御部は、少なくとも時間的に隣り合う前記切替タイミングに挟まれる期間中継続し前記第１制御期間及び前記第２制御期間とは異なる第３制御期間に第３制御を行い、前記第３制御において、前記駆動電流の絶対値が、前記第１期間では相対的に小さくなり、前記第２期間では相対的に大きくなるように前記放電灯駆動部を制御し、かつ、前記第２期間中に前記第１電極に与えられるエネルギーと前記第２電極に与えられるエネルギーとの差が、前記第１制御及び前記第２制御の場合よりも小さい前記駆動電流を前記放電灯に供給させるように前記放電灯駆動部を制御し、時間的に隣り合う前記第３制御期間に挟まれる期間において、前記第１制御及び前記第２制御の少なくとも一方を行ってもよい。
【００１５】
これにより、第１制御及び第２制御によって電極の溶融性が高まりすぎることに起因する黒化などの弊害を抑制できる。
【００１６】
このプロジェクターは、前記放電灯の劣化状態を検出する状態検出部を含み、
前記制御部は、前記劣化状態の進行に伴って、前記第３制御期間の長さを短くしてもよい。
【００１７】
状態検出部は、劣化状態の程度を表す値として、例えば、放電灯の駆動電圧、放電灯の駆動電圧の時間変化、放電灯の光量、放電灯の光量の時間変化、放電灯の累積点灯時間等を検出してもよい。
【００１８】
劣化状態が進行すると電極の溶融性が低下する。したがって、劣化状態の進行に伴って第３制御期間の長さを短くすることにより電極の溶融性を高め、電極の変形を抑制できる。
【００１９】
このプロジェクターは、前記放電灯の劣化状態を検出する状態検出部を含み、前記制御部は、前記劣化状態の進行に伴って、前記第１制御期間及び前記第２制御期間の長さを長くしてもよい。
【００２０】
劣化状態が進行すると電極の溶融性が低下する。したがって、劣化状態の進行に伴って第１制御期間及び第２制御期間の長さを長くすることにより電極の溶融性を高め、電極の変形を抑制できる。
【００２１】
このプロジェクターは、前記制御部は、前記第１制御処理では、前記駆動電流として、前記第１電極が陽極となる直流電流を前記放電灯に供給させるように前記放電灯駆動部を制御し、前記第２制御処理では、前記駆動電流として、前記第２電極が陽極となる直流電流を前記放電灯に供給させるように前記放電灯駆動部を制御してもよい。
【００２２】
これにより、簡易な制御で第１制御処理及び第２制御処理を実現できる。
【００２３】
このプロジェクターは、前記制御部は、前記第１制御処理では、前記駆動電流として、１周期に占める前記第１電極が陽極になる時間が、前記第２電極が陽極になる時間よりも長い交流電流を前記放電灯に供給させるように前記放電灯駆動部を制御し、前記第２制御処理では、前記駆動電流として、１周期に占める前記第２電極が陽極になる時間が、前記第１電極が陽極になる時間よりも長い交流電流を前記放電灯に供給させるように前記放電灯駆動部を制御してもよい。
【００２４】
これにより、簡易な制御で第１制御処理及び第２制御処理を実現できる。
【００２５】
このプロジェクターは、前記制御部は、前記第１制御処理では、前記駆動電流として、交流電流を供給させる期間と、前記第１電極が陽極となる直流電流を前記放電灯に供給させる期間と、を含むように前記放電灯駆動部を制御し、前記第２制御処理では、前記駆動電流として、交流電流を供給させる期間と、前記第２電極が陽極となる直流電流を前記放電灯に供給させる期間と、を含むように前記放電灯駆動部を制御してもよい。
【００２６】
これにより、簡易な制御で第１制御処理及び第２制御処理を実現できる。
【図面の簡単な説明】
【００２７】
【図１】第１実施形態に係るプロジェクター５００の光学系を示す説明図。
【図２】光源装置２００の構成を示す説明図。
【図３】第１実施形態に係るプロジェクターの回路構成の一例を示す図。
【図４】放電灯点灯装置１０の回路構成の一例を示す図。
【図５】制御部４０の他の構成例について説明するための図。
【図６】図６（Ａ）ないし図６（Ｄ）は、放電灯９０に供給する駆動電流Ｉの極性と電極の温度との関係を示す説明図。
【図７】第１期間、第２期間及び切替タイミングについて説明するための図。
【図８】切替タイミングと、第１制御期間及び第２制御期間との関係を説明するための図。
【図９】図９（Ａ）は、第１制御における波形例を示すタイミングチャート、図９（Ｂ）は、第２制御における波形例を示すタイミングチャート。
【図１０】図１０（Ａ）は、第１制御における他の波形例を示すタイミングチャート、図１０（Ｂ）は、第２制御における他の波形例を示すタイミングチャート。
【図１１】図１１（Ａ）は、第１制御における他の波形例を示すタイミングチャート、図１１（Ｂ）は、第２制御における他の波形例を示すタイミングチャート。
【図１２】切替タイミングと、第１制御期間、第２制御期間及び第３制御期間との関係を説明するための図。
【図１３】第３制御における波形例を示すタイミングチャート。
【図１４】第３実施形態のプロジェクターの制御例を示すフローチャート。
【図１５】駆動条件の対応関係の一例を示す図。
【図１６】駆動条件の対応関係の一例を示す図。
【発明を実施するための形態】
【００２８】
以下、本発明の好適な実施形態について図面を用いて詳細に説明する。なお、以下に説明する実施形態は、特許請求の範囲に記載された本発明の内容を不当に限定するものではない。また以下で説明される構成の全てが本発明の必須構成要件であるとは限らない。
【００２９】
１．第１実施形態に係るプロジェクター
１−１．プロジェクターの光学系
図１は、第１実施形態に係るプロジェクター５００の光学系を示す説明図である。プロジェクター５００は、光源装置２００と、平行化レンズ３０５と、照明光学系３１０と、色分離光学系３２０と、３つの液晶ライトバルブ３３０Ｒ、３３０Ｇ、３３０Ｂと、クロスダイクロイックプリズム３４０と、投写光学系３５０とを有している。
【００３０】
光源装置２００は、光源ユニット２１０と、放電灯点灯装置１０と、を有している。光源ユニット２１０は、主反射鏡１１２と副反射鏡５０（後述）と放電灯９０とを有している。放電灯点灯装置１０は、放電灯９０に電力を供給して、放電灯９０を点灯させる。主反射鏡１１２は、放電灯９０から放出された光を、照射方向Ｄに向けて反射する。照射方向Ｄは、光軸ＡＸと平行である。光源ユニット２１０からの光は、平行化レンズ３０５を通過して照明光学系３１０に入射する。この平行化レンズ３０５は、光源ユニット２１０からの光を、平行化する。
【００３１】
照明光学系３１０は、光源装置２００からの光の照度を液晶ライトバルブ３３０Ｒ、３３０Ｇ、３３０Ｂにおいて均一化する。また、照明光学系３１０は、光源装置２００からの光の偏光方向を一方向に揃える。この理由は、光源装置２００からの光を液晶ライトバルブ３３０Ｒ、３３０Ｇ、３３０Ｂで有効に利用するためである。照度分布と偏光方向とが調整された光は、色分離光学系３２０に入射する。色分離光学系３２０は、入射光を、赤（Ｒ）、緑（Ｇ）、青（Ｂ）の３つの色光に分離する。３つの色光は、各色に対応付けられた液晶ライトバルブ３３０Ｒ、３３０Ｇ、３３０Ｂによって、それぞれ変調される。液晶ライトバルブ３３０Ｒ、３３０Ｇ、３３０Ｂは、液晶パネル５６０Ｒ、５６０Ｇ、５６０Ｂ（後述）と、液晶パネル５６０Ｒ、５６０Ｇ、５６０Ｂのそれぞれの光入射側及び出射側に配置される偏光板（不図示）を備える。変調された３つの色光は、クロスダイクロイックプリズム３４０によって合成される。合成光は、投写光学系３５０に入射する。投写光学系３５０は、入射光を、図示しないスクリーンに投写する。これにより、スクリーン上には画像が表示される。
【００３２】
なお、平行化レンズ３０５と、照明光学系３１０と、色分離光学系３２０と、クロスダイクロイックプリズム３４０と、投写光学系３５０とのそれぞれの構成としては、周知の種々の構成を採用可能である。
【００３３】
図２は、光源装置２００の構成を示す説明図である。光源装置２００は、光源ユニット２１０と放電灯点灯装置１０とを有している。図中には、光源ユニット２１０の断面図が示されている。光源ユニット２１０は、主反射鏡１１２と放電灯９０と副反射鏡５０とを有している。
【００３４】
放電灯９０の形状は、第１端部９０ｅ１から第２端部９０ｅ２まで、照射方向Ｄに沿って延びる棒形状である。放電灯９０の材料は、例えば、石英ガラス等の透光性材料である。放電灯９０の中央部は球状に膨らんでおり、その内には、放電空間９１が形成されている。放電空間９１内には、水銀、希ガス、金属ハロゲン化合物等を含む放電媒体であるガスが封入されている。
【００３５】
放電灯９０は、第１電極９２及び第２電極９３を含んでいる。図２に示す例では、第１電極９２及び第２電極９３は、放電空間９１内に突き出すように設けられている。第１電極９２は、放電空間９１の第１端部９０ｅ１側に配置され、第２電極９３は、放電空間９１の第２端部９０ｅ２側に配置されている。これらの第１電極９２及び第２電極９３の形状は、光軸ＡＸに沿って延びる棒形状である。放電空間９１内では、第１電極９２及び第２電極９３の電極先端部（「放電端」とも呼ぶ）が、所定距離だけ離れて向かい合っている。なお、これらの第１電極９２及び第２電極９３の材料は、例えば、タングステン等の金属である。
【００３６】
放電灯９０の第１端部９０ｅ１には、第１端子５３６が設けられている。第１端子５３６と第１電極９２とは、放電灯９０の内部を通る導電性部材５３４によって電気的に接続されている。同様に、放電灯９０の第２端部９０ｅ２には、第２端子５４６が設けられている。第２端子５４６と第２電極９３とは、放電灯９０の内部を通る導電性部材５４４によって電気的に接続されている。第１端子５３６及び第２端子５４６の材料は、例えば、タングステン等の金属である。また、各導電性部材５３４、５４４としては、例えば、モリブデン箔が利用される。
【００３７】
第１端子５３６及び第２端子５４６は、放電灯点灯装置１０に接続されている。放電灯点灯装置１０は、第１端子５３６及び第２端子５４６に、放電灯９０を駆動する駆動電流を供給する。その結果、第１電極９２及び第２電極９３の間でアーク放電が起きる。アーク放電により発生した光（放電光）は、破線の矢印で示すように、放電位置から全方向に向かって放射される。
【００３８】
放電灯９０の第１端部９０ｅ１には、固定部材１１４によって、主反射鏡１１２が固定されている。主反射鏡１１２の反射面（放電灯９０側の面）の形状は、回転楕円形状である。主反射鏡１１２は、放電光を照射方向Ｄに向かって反射する。なお、主反射鏡１１２の反射面の形状としては、回転楕円形状に限らず、放電光を照射方向Ｄに向かって反射するような種々の形状を採用可能である。例えば、回転放物線形状を採用してもよい。この場合は、主反射鏡１１２は、放電光を、光軸ＡＸにほぼ平行な光に変換することができる。したがって、平行化レンズ３０５を省略することができる。
【００３９】
放電灯９０の第２端部９０ｅ２側には、固定部材５２２によって、副反射鏡５０が固定されている。副反射鏡５０の反射面（放電灯９０側の面）の形状は、放電空間９１の第２端部９０ｅ２側を囲む球面形状である。副反射鏡５０は、放電光を、主反射鏡１１２に向かって反射する。これにより、放電空間９１から放射される光の利用効率を高めることができる。
【００４０】
なお、固定部材１１４、５２２の材料としては、放電灯９０の発熱に耐える任意の耐熱材料（例えば、無機接着剤）を採用可能である。また、主反射鏡１１２及び副反射鏡５０と放電灯９０との配置を固定する方法としては、主反射鏡１１２及び副反射鏡５０を放電灯９０に固定する方法に限らず、任意の方法を採用可能である。例えば、放電灯９０と主反射鏡１１２とを、独立に、プロジェクターの筐体（図示せず）に固定してもよい。副反射鏡５０についても同様である。
【００４１】
１−２．プロジェクターの回路構成
図３は、第１実施形態に係るプロジェクターの回路構成の一例を示す図である。プロジェクター５００は、先に説明した光学系の他に、画像信号変換部５１０、直流電源装置８０、放電灯点灯装置１０、放電灯９０、液晶パネル５６０Ｒ、５６０Ｇ、５６０Ｂ、画像処理装置５７０、ＣＰＵ（Central Processing Unit）５８０を含んでいてもよい。また、プロジェクター５００とアクティブシャッターメガネ４１０とを含むプロジェクターシステム４００として構成することも可能である。
【００４２】
画像信号変換部５１０は、外部から入力された画像信号５０２（輝度−色差信号やアナログＲＧＢ信号など）を所定のワード長のデジタルＲＧＢ信号に変換して画像信号５１２Ｒ、５１２Ｇ、５１２Ｂを生成し、画像処理装置５７０に供給する。また、画像信号変換部５１０は、画像信号５０２として、所与の切替タイミングで第１映像と第２映像とが交互に切り替わる映像信号が入力された場合には、第１映像と第２映像との切替タイミングに基づいて、同期信号５１４をＣＰＵ５８０に供給する。
【００４３】
画像処理装置５７０は、３つの画像信号５１２Ｒ、５１２Ｇ、５１２Ｂに対してそれぞれ画像処理を行い、液晶パネル５６０Ｒ、５６０Ｇ、５６０Ｂをそれぞれ駆動するための駆動信号５７２Ｒ、５７２Ｇ、５７２Ｂを液晶パネル５６０Ｒ、５６０Ｇ、５６０Ｂに供給する。
【００４４】
直流電源装置８０は、外部の交流電源６００から供給される交流電圧を一定の直流電圧に変換し、トランス（図示しないが、直流電源装置８０に含まれる）の２次側にある画像信号変換部５１０、画像処理装置５７０及びトランスの１次側にある放電灯点灯装置１０に直流電圧を供給する。
【００４５】
放電灯点灯装置１０は、起動時に放電灯９０の電極間に高電圧を発生して絶縁破壊させて放電路を形成し、以後放電灯９０が放電を維持するための駆動電流Ｉを供給する。
【００４６】
液晶パネル５６０Ｒ、５６０Ｇ、５６０Ｂは、それぞれ駆動信号５７２Ｒ、５７２Ｇ、５７２Ｂに基づいて、先に説明した光学系を介して各液晶パネルに入射される色光の輝度を変調する。
【００４７】
ＣＰＵ５８０は、プロジェクターの点灯開始から消灯に至るまでの動作を制御する。例えば、点灯命令や消灯命令を、通信信号５８２を介して放電灯点灯装置１０に出力してもよい。また、ＣＰＵ５８０は、放電灯点灯装置１０から放電灯９０の点灯情報を、通信信号５８４を介して受け取ってもよい。さらに、ＣＰＵ５８０は、同期信号５１４に基づいて、画像信号５０２に同期してアクティブシャッターメガネ４１０を制御するための制御信号５８６を、有線又は無線の通信手段を介してアクティブシャッターメガネ４１０に出力してもよい。
【００４８】
アクティブシャッターメガネ４１０は、右シャッター４１２と左シャッター４１４を含んでいてもよい。右シャッター４１２及び左シャッター４１４は、制御信号５８６に基づいて開閉制御される。ユーザーがアクティブシャッターメガネ４１０を装着した場合に、右シャッター４１２が閉じられることにより、右目側の視野を遮ることができる。また、ユーザーがアクティブシャッターメガネ４１０を装着した場合に、左シャッター４１４が閉じられることにより、左目側の視野を遮ることができる。右シャッター４１２及び左シャッター４１４は、例えば、液晶シャッターで構成されていてもよい。
【００４９】
１−３．放電灯点灯装置の構成
図４は、放電灯点灯装置１０の回路構成の一例を示す図である。
【００５０】
放電灯点灯装置１０は、電力制御回路２０を含む。電力制御回路２０は、放電灯９０に供給する駆動電力を生成する。第１実施形態においては、電力制御回路２０は、直流電源８０を入力とし、当該入力電圧を降圧して直流電流Ｉｄを出力するダウンチョッパー回路で構成されている。
【００５１】
電力制御回路２０は、スイッチ素子２１、ダイオード２２、コイル２３及びコンデンサー２４を含んで構成されることができる。スイッチ素子２１は、例えばトランジスターで構成することができる。第１実施形態においては、スイッチ素子２１の一端は直流電源８０の正電圧側に接続され、他端はダイオード２２のカソード端子及びコイル２３の一端に接続されている。また、コイル２３の他端にはコンデンサー２４の一端が接続され、コンデンサー２４の他端はダイオード２２のアノード端子及び直流電源８０の負電圧側に接続されている。スイッチ素子２１の制御端子には制御部４０（後述）から電流制御信号が入力されてスイッチ素子２１のＯＮ／ＯＦＦが制御される。電流制御信号には、例えばＰＷＭ（Pulse Width Modulation）制御信号が用いられてもよい。
【００５２】
ここで、スイッチ素子２１がＯＮすると、コイル２３に電流が流れ、コイル２３にエネルギーが蓄えられる。その後、スイッチ素子２１がＯＦＦすると、コイル２３に蓄えられたエネルギーがコンデンサー２４とダイオード２２とを通る経路で放出される。その結果、スイッチ素子２１がＯＮする時間の割合に応じた直流電流Ｉｄが発生する。
【００５３】
放電灯点灯装置１０は、極性反転回路３０を含む。極性反転回路３０は、電力制御回路２０から出力される直流電流Ｉｄを入力し、所与のタイミングで極性反転することにより、制御された時間だけ継続する直流であったり、任意の周波数をもつ交流であったりする駆動電流Ｉを生成出力する。第１実施形態においては、極性反転回路３０はインバーターブリッジ回路（フルブリッジ回路）で構成されている。
【００５４】
極性反転回路３０は、例えば、トランジスターなどで構成される第１のスイッチ素子３１、第２のスイッチ素子３２、第３のスイッチ素子３３及び第４のスイッチ素子３４を含み、直列接続された第１のスイッチ素子３１及び第２のスイッチ素子３２と、直列接続された第３のスイッチ素子３３及び第４のスイッチ素子３４を、互いに並列接続して構成される。第１のスイッチ素子３１、第２のスイッチ素子３２、第３のスイッチ素子３３及び第４のスイッチ素子３４の制御端子には、それぞれ制御部４０から極性反転制御信号が入力され、極性反転制御信号に基づいて第１のスイッチ素子３１、第２のスイッチ素子３２、第３のスイッチ素子３３及び第４のスイッチ素子３４のＯＮ／ＯＦＦが制御される。
【００５５】
極性反転回路３０は、第１のスイッチ素子３１及び第４のスイッチ素子３４と、第２のスイッチ素子３２及び第３のスイッチ素子３３を交互にＯＮ／ＯＦＦを繰り返すことにより、電力制御回路２０から出力される直流電流Ｉｄの極性を交互に反転し、第１のスイッチ素子３１と第２のスイッチ素子３２との共通接続点及び第３のスイッチ素子３３と第４のスイッチ素子３４との共通接続点から、制御された時間だけ継続する直流であったり、制御された周波数をもつ交流であったりする駆動電流Ｉを生成出力する。
【００５６】
すなわち、第１のスイッチ素子３１及び第４のスイッチ素子３４がＯＮの時には第２のスイッチ素子３２及び第３のスイッチ素子３３をＯＦＦにし、第１のスイッチ素子３１及び第４のスイッチ素子３４がＯＦＦの時には第２のスイッチ素子３２及び第３のスイッチ素子３３をＯＮにするように制御する。したがって、第１のスイッチ素子３１及び第４のスイッチ素子３４がＯＮの時には、コンデンサー２４の一端から第１のスイッチ素子３１、放電灯９０、第４のスイッチ素子３４の順に流れる駆動電流Ｉが発生する。また、第２のスイッチ素子３２及び第３のスイッチ素子３３がＯＮの時には、コンデンサー２４の一端から第３のスイッチ素子３３、放電灯９０、第２のスイッチ素子３２の順に流れる駆動電流Ｉが発生する。
【００５７】
第１実施形態において、電力制御回路２０と極性反転回路３０とを合わせて放電灯駆動部２３０に対応する。すなわち、放電灯駆動部２３０は、放電灯９０を駆動する駆動電流Ｉを放電灯９０に供給する。
【００５８】
放電灯点灯装置１０は、制御部４０を含む。制御部４０は、放電灯駆動部２３０を制御する。図４に示される例では、制御部４０は、電力制御回路２０及び極性反転回路３０を制御することにより、駆動電流Ｉが同一極性で継続する保持時間、駆動電流Ｉの電流値、周波数等を制御する。制御部４０は、極性反転回路３０に対して駆動電流Ｉの極性反転タイミングにより、駆動電流Ｉが同一極性で継続する保持時間、駆動電流Ｉの周波数等を制御する極性反転制御を行う。また、制御部４０は、電力制御回路２０に対して、出力される直流電流Ｉｄの電流値を制御する電流制御を行う。
【００５９】
制御部４０の構成は、特に限定されるものではないが、第１実施形態においては、制御部４０は、システムコントローラー４１、電力制御回路コントローラー４２及び極性反転回路コントローラー４３含んで構成されている。なお、制御部４０は、その一部又は全てを半導体集積回路で構成してもよい。
【００６０】
システムコントローラー４１は、電力制御回路コントローラー４２及び極性反転回路コントローラー４３を制御することにより、電力制御回路２０及び極性反転回路３０を制御する。システムコントローラー４１は、後述する放電灯点灯装置１０内部に設けられた電圧検出部６０により検出した駆動電圧Ｖｌａ及び駆動電流Ｉに基づき、電力制御回路コントローラー４２及び極性反転回路コントローラー４３を制御してもよい。
【００６１】
第１実施形態においては、システムコントローラー４１は記憶部４４を含んで構成されている。なお、記憶部４４は、システムコントローラー４１とは独立に設けてもよい。
【００６２】
システムコントローラー４１は、記憶部４４に格納された情報に基づき、電力制御回路２０及び極性反転回路３０を制御してもよい。記憶部４４には、例えば駆動電流Ｉが同一極性で継続する保持時間、駆動電流Ｉの電流値、周波数、波形、変調パターン等の駆動パラメーターに関する情報が格納されていてもよい。
【００６３】
電力制御回路コントローラー４２は、システムコントローラー４１からの制御信号に基づき、電力制御回路２０へ電流制御信号を出力することにより、電力制御回路２０を制御する。
【００６４】
極性反転回路コントローラー４３は、システムコントローラー４１からの制御信号に基づき、極性反転回路３０へ極性反転制御信号を出力することにより、極性反転回路３０を制御する。
【００６５】
なお、制御部４０は、専用回路により実現して上述した制御や後述する処理の各種制御を行うようにすることもできるが、例えばＣＰＵ（Central Processing Unit）が記憶部
４４等に記憶された制御プログラムを実行することによりコンピューターとして機能し、これらの処理の各種制御を行うようにすることもできる。図５は、制御部４０の他の構成例について説明するための図である。図５に示すように、制御部４０は、制御プログラムにより、電力制御回路２０を制御する電流制御手段４０−１、極性反転回路３０を制御する極性反転制御手段４０−２として機能するように構成してもよい。
【００６６】
また、図４に示される例では、制御部４０は、放電灯点灯装置１０の一部として構成されているが、制御部４０の機能の一部をＣＰＵ５８０が担うように構成されていてもよい。
【００６７】
放電灯点灯装置１０は、動作検出部を含んでもよい。動作検出部は、例えば放電灯９０の駆動電圧Ｖｌａを検出し、駆動電圧情報を出力する電圧検出部６０や、駆動電流Ｉを検出し、駆動電流情報を出力する電流検出部を含んでもよい。本実施形態においては、電圧検出部６０は、第１及び第２の抵抗６１及び６２を含んで構成されている。
【００６８】
電圧検出部６０は、本発明における状態検出部に対応する。すなわち、状態検出部（電圧検出部６０）は、電極の劣化状態の程度を表す値として駆動電圧Ｖｌａを検出する。
【００６９】
第１実施形態において、電圧検出部６０は、放電灯９０と並列に、互いに直列接続された第１の抵抗６１及び第２の抵抗６２で分圧した電圧により駆動電圧Ｖｌａを検出する。また、第１実施形態において、電流検出部は、放電灯９０に直列に接続された第３の抵抗６３に発生する電圧により駆動電流Ｉを検出する。
【００７０】
放電灯点灯装置１０は、イグナイター回路７０を含んでもよい。イグナイター回路７０は、放電灯９０の点灯開始時にのみ動作し、放電灯９０の点灯開始時に放電灯９０の電極間（第１電極９２と第２電極９３との間）を絶縁破壊して放電路を形成するために必要な高電圧（放電灯９０の通常点灯時よりも高い電圧）を放電灯９０の電極間（第１電極９２と第２電極９３との間）に供給する。第１実施形態においては、イグナイター回路７０は、放電灯９０と並列に接続されている。
【００７１】
１−４．駆動電流の極性と電極の温度との関係
図６（Ａ）ないし図６（Ｄ）は、放電灯９０に供給する駆動電流Ｉの極性と電極の温度との関係を示す説明図である。図６（Ａ）及び図６（Ｂ）は、第１電極９２及び第２電極９３の動作状態を示している。図中には、第１電極９２及び第２電極９３の先端部分が示されている。第１電極９２及び第２電極９３の先端にはそれぞれ突起５５２ｐ、５６２ｐが設けられている。第１電極９２と第２電極９３の間で生じる放電は、主として突起５５２ｐと突起５６２ｐとの間で生じる。本実施例では、突起が無い場合と比べて、第１電極９２及び第２電極９３における放電位置（アーク位置）の移動を抑えることができる。ただし、このような突起を省略してもよい。
【００７２】
図６（Ａ）は、第１電極９２が陽極として動作し、第２電極９３が陰極として動作する第１極性状態Ｐ１を示している。第１極性状態Ｐ１では、放電によって、第２電極９３（陰極）から第１電極９２（陽極）へ電子が移動する。陰極（第２電極９３）からは、電子が放出される。陰極（第２電極９３）から放出された電子は、陽極（第１電極９２）の先端に衝突する。この衝突によって熱が生じ、そして、陽極（第１電極９２）の先端（突起５５２ｐ）の温度が上昇する。
【００７３】
図６（Ｂ）は、第１電極９２が陰極として動作し、第２電極９３が陽極として動作する第２極性状態Ｐ２を示している。第２極性状態Ｐ２では、第１極性状態Ｐ１とは逆に、第１電極９２から第２電極９３へ電子が移動する。その結果、第２電極９３の先端（突起５６２ｐ）の温度が上昇する。
【００７４】
このように、陽極の温度は、陰極と比べて高くなりやすい。ここで、一方の電極の温度が他方の電極と比べて高い状態が続くことは、種々の不具合を引き起こし得る。例えば、高温電極の先端が過剰に溶けた場合には、意図しない電極変形が生じ得る。その結果、アーク長が適正値からずれる場合がある。また、低温電極の先端の溶融が不十分な場合には、先端に生じた微少な凹凸が溶けずに残り得る。その結果、いわゆるアークジャンプが生じる（アーク位置が安定せずに移動する）場合がある。
【００７５】
このような不具合を抑制する技術として、各電極の極性を繰り返し交替させる交流駆動を利用可能である。図６（Ｃ）は、放電灯９０（図２）に供給される駆動電流Ｉの一例を示すタイミングチャートである。横軸は時間Ｔを示し、縦軸は駆動電流Ｉの電流値を示している。駆動電流Ｉは、放電灯９０を流れる電流を示す。正値は、第１極性状態Ｐ１を示し、負値は、第２極性状態Ｐ２を示す。図６（Ｃ）に示す例では、駆動電流Ｉとして矩形波交流電流が利用されている。そして、図６（Ｃ）に示す例では、第１極性状態Ｐ１と第２極性状態Ｐ２とが交互に繰り返されている。ここで、第１極性区間Ｔｐは、第１極性状態Ｐ１が続く時間を示し、第２極性区間Ｔｎは、第２極性状態Ｐ２が続く時間を示す。また、図６（Ｃ）に示す例では、第１極性区間Ｔｐの平均電流値はＩｍ１であり、第２極性区間Ｔｎの平均電流値は−Ｉｍ２である。なお、放電灯９０の駆動に適した駆動電流Ｉの周波数は、放電灯９０の特性に合わせて、実験的に決定可能である（例えば、３０Ｈｚ〜１ｋＨｚの範囲の値が採用される）。他の値Ｉｍ１、−Ｉｍ２、Ｔｐ、Ｔｎも、同様に実験的に決定可能である。
【００７６】
図６（Ｄ）は、第１電極９２の温度変化を示すタイミングチャートである。横軸は時間Ｔを示し、縦軸は温度Ｈを示している。第１極性状態Ｐ１では、第１電極９２の温度Ｈが上昇し、第２極性状態Ｐ２では、第１電極９２の温度Ｈが降下する。また、第１極性状態Ｐ１と第２極性状態Ｐ２状態が繰り返されるので、温度Ｈは、最小値Ｈｍｉｎと最大値Ｈｍａｘとの間で周期的に変化する。なお、図示は省略するが、第２電極９３の温度は、第１電極９２の温度Ｈとは逆位相で変化する。すなわち、第１極性状態Ｐ１では、第２電極９３の温度が降下し、第２極性状態Ｐ２では、第２電極９３の温度が上昇する。
【００７７】
第１極性状態Ｐ１では、第１電極９２（突起５５２ｐ）の先端が溶融するので、第１電極９２（突起５５２ｐ）の先端が滑らかになる。これにより、第１電極９２での放電位置の移動を抑制できる。また、第２電極９３（突起５６２ｐ）の先端の温度が降下するので、第２電極９３（突起５６２ｐ）の過剰な溶融が抑制される。これにより、意図しない電極変形を抑制できる。第２極性状態Ｐ２では、第１電極９２と第２電極９３の立場が逆である。したがって、２つの状態Ｐ１、Ｐ２を繰り返すことによって、第１電極９２及び第２電極９３のそれぞれにおける不具合を抑制できる。
【００７８】
ここで、電流Ｉの波形が対称である場合、すなわち、電流Ｉの波形が「｜Ｉｍ１｜＝｜−Ｉｍ２｜、Ｔｐ＝Ｔｎ」という条件を満たす場合には、第１電極９２と第２電極９３との間で、供給される電力の条件が同じである。したがって、第１電極９２及び第２電極９３の熱的条件（温度の上がりやすさや下がりやすさ）が同一であれば、第１電極９２と第２電極９３との間の温度差が小さくなると推定される。
【００７９】
また、電極が広い範囲にわたり加熱されすぎる（アークスポット（アーク放電に伴う電極表面上のホットスポット）が大きくなる）と過剰な溶融により電極の形状が崩れる。逆に、電極が冷えすぎる（アークスポットが小さくなる）と電極の先端が十分に溶融できず、先端を滑らかに戻せない、すなわち電極の先端が変形しやすくなる。したがって、電極に対して一様なエネルギー供給状態を継続すると、電極の先端（突起５５２ｐ及び突起５６２ｐ）が意図しない形状に変形しやすくなる。
【００８０】
１−５．駆動電流の制御例
次に、第１実施形態に係るプロジェクター５００における駆動電流Ｉの制御の具体例について説明する。
【００８１】
図７は、第１期間、第２期間及び切替タイミングについて説明するための図である。図７には、上から順に駆動信号５７２Ｒ，５７２Ｇ，５７２Ｂの内容、右シャッター４１２の開閉状態、左シャッター４１４の開閉状態、第１期間と第２期間、切替タイミングの時間的関係が示されている。図７の横軸は時間である。以下では、第１映像及び第２映像をそれぞれ左目用映像及び右目用映像として表示映像を観察者に立体視させる例について説明する。
【００８２】
図７に示される例では、駆動信号５７２Ｒ，５７２Ｇ，５７２Ｂは、時刻ｔ１から時刻ｔ３までの間は第１映像としての右目用映像、時刻ｔ３から時刻ｔ５までの間は第２映像としての右目用映像、時刻ｔ５から時刻ｔ７までの間は第１映像としての右目用映像、時刻ｔ７から時刻ｔ９までの間は第２映像としての右目用映像に対応する駆動信号となっている。したがって、図７に示される例では、プロジェクター５００は、時刻ｔ１、時刻ｔ３、時刻ｔ５、時刻ｔ７、時刻ｔ９を切替タイミングとして、第１映像としての右目用映像と第２映像としての右目用映像とを切り替えて交互に出力する。
【００８３】
時間的に隣り合う切替タイミングに挟まれる期間は、第１期間で始まり、第２期間で終わる。図７に示される例では、例えば、切替タイミングとなる時刻ｔ１と時刻ｔ３とに挟まれる期間は、時刻ｔ１から時刻ｔ２までの間の第１期間で始まり、時刻ｔ２から時刻ｔ３までの間の第２期間で終わる。切替タイミングとなる時刻ｔ３と時刻ｔ５とに挟まれる期間、切替タイミングとなる時刻ｔ５と時刻ｔ７とに挟まれる期間、切替タイミングとなる時刻ｔ７と時刻ｔ９とに挟まれる期間についても同様である。なお、図７に示される例では、第１期間の長さと第２期間の長さとを同一に表しているが、第１期間の長さと第２期間の長さは、必要に応じてそれぞれ適宜設定できる。また、第１期間と第２期間との間に、第３期間が存在していてもよい。第３期間においては、後述される第１期間及び第２期間における駆動電流Ｉの制御とは異なる制御を行ってもよい。
【００８４】
右シャッター４１２は、第１映像としての右目用映像に対応する駆動信号５７２Ｒ，５７２Ｇ，５７２Ｂが液晶パネル５６０Ｒ，５６０Ｇ，５６０Ｂに入力されている期間の少なくとも一部の期間で開いた状態となる。図７に示される例では、右シャッター４１２は、時刻ｔ１から時刻ｔ２までの間では閉じた状態であり、時刻ｔ２から時刻ｔ３までの間は開いた状態である。また、図７に示される例では、第２映像としての右目用映像に対応する駆動信号５７２Ｒ，５７２Ｇ，５７２Ｂが液晶パネル５６０Ｒ，５６０Ｇ，５６０Ｂに入力されている期間において、右シャッター４１２は、時刻ｔ３から閉じ始め、時刻ｔ３と時刻ｔ４との間で閉じ終わり、時刻ｔ４から時刻ｔ５までの間は閉じた状態である。時刻ｔ５から時刻ｔ９までの間における右シャッター４１２の開閉状態の変化は、時刻ｔ１から時刻ｔ５までの間の開閉状態の変化と同様である。
【００８５】
左シャッター４１４は、第２映像としての右目用映像に対応する駆動信号５７２Ｒ，５７２Ｇ，５７２Ｂが液晶パネル５６０Ｒ，５６０Ｇ，５６０Ｂに入力されている期間の少なくとも一部の期間で開いた状態となる。図７に示される例では、左シャッター４１４は、時刻ｔ３から時刻ｔ４までの間では閉じた状態であり、時刻ｔ４から時刻ｔ５までの間は開いた状態である。また、図７に示される例では、第１映像としての右目用映像に対応する駆動信号５７２Ｒ，５７２Ｇ，５７２Ｂが液晶パネル５６０Ｒ，５６０Ｇ，５６０Ｂに入力されている期間において、左シャッター４１４は、時刻ｔ１から閉じ始め、時刻ｔ１と時刻ｔ２との間で閉じ終わり、時刻ｔ２から時刻ｔ３までの間は閉じた状態である。時刻ｔ５から時刻ｔ９までの間における左シャッター４１４の開閉状態の変化は、時刻ｔ１から時刻ｔ５までの間の開閉状態の変化と同様である。
【００８６】
図７に示される例では、第１映像としての右目用映像に対応する駆動信号５７２Ｒ，５７２Ｇ，５７２Ｂが液晶パネル５６０Ｒ，５６０Ｇ，５６０Ｂに入力されている期間においては、右シャッター４１２が閉じている期間が第１期間、右シャッター４１２が開いている期間が第２期間に対応している。また、図７に示される例では、第２映像としての右目用映像に対応する駆動信号５７２Ｒ，５７２Ｇ，５７２Ｂが液晶パネル５６０Ｒ，５６０Ｇ，５６０Ｂに入力されている期間においては、左シャッター４１４が閉じている期間が第１期間、左シャッター４１４が開いている期間が第２期間に対応している。また、図７に示される例では、第１期間においては、右シャッター４１２及び左シャッター４１４のいずれのシャッターも閉じている期間が存在している。
【００８７】
図８は、切替タイミングと、第１制御期間及び第２制御期間との関係を説明するための図である。図８の横軸は時間を表す。また、時刻ｔ１１〜ｔ２７は切替タイミングである。第１制御期間は、制御部４０が第１制御を行う期間であり、第２制御期間は、制御部４０が第２制御を行う期間である。
【００８８】
第１実施形態に係るプロジェクター５００において、制御部４０は、少なくとも時間的に隣り合う切替タイミングに挟まれる期間中継続する第１制御期間に第１制御を行い、少なくとも時間的に隣り合う切替タイミングに挟まれる期間中継続し第１制御期間とは異なる第２制御期間に第２制御を行う。図８に示される例では、第１制御及び第２制御は、時間的に隣り合う切替タイミングに挟まれる期間の４倍の長さの期間中継続している。例えば、図８において最初の第１制御期間は、切替タイミングとなる時刻ｔ１１から、切替タイミングとなる時刻ｔ１５までの期間中継続している。また、図８において最初の第２制御期間は、切替タイミングとなる時刻ｔ１５から、切替タイミングとなる時刻ｔ１９までの期間中継続している。なお、第１制御及び第２制御が継続する時間の長さは、放電灯９０の仕様に応じて適宜設定することができる。
【００８９】
図９（Ａ）は、第１制御における波形例を示すタイミングチャート、図９（Ｂ）は、第２制御における波形例を示すタイミングチャートである。図９（Ａ）及び図９（Ｂ）の横軸は時間、縦軸は駆動電流Ｉの電流値を表す。また、図９（Ａ）及び図９（Ｂ）においては、第１電極９２が陽極となる場合の駆動電流Ｉを正値、第２電極９３が陽極となる場合の駆動電流Ｉを負値として表す。また、以下の説明においては、第１電極９２が陽極となる場合の駆動電流Ｉの極性を第１極性、第２電極９３が陽極となる場合の駆動電流Ｉの極性を第２極性と表現する。
【００９０】
第１実施形態に係るプロジェクター５００において、制御部４０は、第１制御及び第２制御において、駆動電流Ｉの絶対値が、第１期間では第２期間に比べて相対的に小さくなり、第２期間では第１期間に比べて相対的に大きくなるように放電灯駆動部２３０を制御する。
【００９１】
図９（Ａ）に示される例では、駆動電流Ｉの電流値の絶対値は、第１期間ではＩ１、第２期間ではＩ２となっている。また、図９（Ａ）に示される例では、Ｉ１＜Ｉ２である。したがって、第１制御において、駆動電流Ｉの絶対値が、第１期間では相対的に小さくなり、第２期間では相対的に大きくなっている。
【００９２】
同様に、図９（Ｂ）に示される例では、駆動電流Ｉの電流値の絶対値は、第１期間ではＩ１、第２期間ではＩ２となっている。また、図９（Ｂ）に示される例では、Ｉ１＜Ｉ２である。したがって、第２制御において、駆動電流Ｉの絶対値が、第１期間では相対的に小さくなり、第２期間では相対的に大きくなっている。
【００９３】
なお、図９（Ａ）及び図９（Ｂ）に示される例では、第１期間における駆動電流Ｉの絶対値及び第２期間における駆動電流Ｉの絶対値は、それぞれの期間内で一定であるが、これに限られない。例えば、第１期間における駆動電流Ｉの絶対値及び第２期間における駆動電流Ｉの絶対値が、それぞれの期間内で変化する場合には、制御部４０は、それぞれの期間内における駆動電流Ｉの絶対値の平均値が、第１期間では相対的に小さくなり、第２期間では相対的に大きくなるように放電灯駆動部２３０を制御してもよい。また例えば、第１期間における駆動電流Ｉの絶対値及び第２期間における駆動電流Ｉの絶対値が、それぞれの期間内で変化する場合には、制御部４０は、第１期間で駆動電流Ｉの絶対値の最小値をとり、第２期間で駆動電流Ｉの絶対値の最大値をとるように放電灯駆動部２３０を制御してもよい。
【００９４】
第１実施形態に係るプロジェクター５００において、制御部４０は、第１制御において、第１期間では、駆動電流Ｉとして交流電流を放電灯９０に供給させるように放電灯駆動部２３０を制御する。交流電流は、第１極性と第２極性とを交互に繰り返す電流である。図９（Ａ）に示される例では、放電灯駆動部２３０が第１期間内において駆動電流Ｉの電流値の絶対値を一定にしたまま極性を反転させることにより１周期に相当する交流電流を生成して、駆動電流Ｉとして放電灯９０に供給するように、制御部４０が放電灯駆動部２３０を制御している。また、図９（Ａ）に示される例では、１回の第１期間において４周期分の交流電流が駆動電流Ｉとして放電灯９０に供給されている。交流電流の周波数は、放電灯９０の特性に応じて実験的に決定することができる。例えば、交流電流の周波数を３０Ｈｚ〜１ｋＨｚの範囲で選択してもよい。
【００９５】
第１実施形態に係るプロジェクター５００において、制御部４０は、第１制御において、第２期間では、第２期間中に第１電極９２に与えられるエネルギーが、第２期間中に第２電極９３に与えられるエネルギーよりも大きくなる駆動電流Ｉを放電灯９０に供給させるように放電灯駆動部２３０を制御する第１制御処理を行う。
【００９６】
図９（Ａ）に示される例では、制御部４０は、第１制御処理では、駆動電流Ｉとして、第１電極が陽極となる直流電流を放電灯９０に供給させるように放電灯駆動部２３０を制御している。第１電極が陽極となる直流電流は、第１極性で始まり第１極性の電流で構成される電流である。図９（Ａ）に示される例では、放電灯駆動部２３０が第２期間内において駆動電流Ｉの電流値の絶対値を一定にした直流電流を、駆動電流Ｉとして放電灯９０に供給するように、制御部４０が放電灯駆動部２３０を制御している。これにより、簡易な制御で第１制御処理を実現できる。
【００９７】
第１実施形態に係るプロジェクター５００において、制御部４０は、第２制御において、第１期間では、駆動電流Ｉとして交流電流を放電灯９０に供給させるように放電灯駆動部２３０を制御する。図９（Ｂ）に示される例では、放電灯駆動部２３０が第１期間内において駆動電流Ｉの電流値の絶対値を一定にしたまま極性を反転させることにより１周期に相当する交流電流を生成して、駆動電流Ｉとして放電灯９０に供給するように、制御部４０が放電灯駆動部２３０を制御している。また、図９（Ｂ）に示される例では、１回の第１期間において４周期分の交流電流が駆動電流Ｉとして放電灯９０に供給されている。交流電流の周波数は、放電灯９０の特性に応じて実験的に決定することができる。例えば、交流電流の周波数を３０Ｈｚ〜１ｋＨｚの範囲で選択してもよい。
【００９８】
第１実施形態に係るプロジェクター５００において、制御部４０は、第２期間では、第２期間中に第２電極９３に与えられるエネルギーが、第２期間中に第１電極９２に与えられるエネルギーよりも大きくなる駆動電流Ｉを放電灯９０に供給させるように放電灯駆動部２３０を制御する第２制御処理を行う。
【００９９】
図９（Ｂ）に示される例では、制御部４０は、第２制御処理では、駆動電流Ｉとして、第２電極が陽極となる直流電流を放電灯９０に供給させるように放電灯駆動部２３０を制御している。第２電極が陽極となる直流電流は、第２極性で始まり第２極性の電流で構成される電流である。図９（Ｂ）に示される例では、放電灯駆動部２３０が第２期間内において駆動電流Ｉの電流値の絶対値を一定にした直流電流を、駆動電流Ｉとして放電灯９０に供給するように、制御部４０が放電灯駆動部２３０を制御している。これにより、簡易な制御で第２制御処理を実現できる。
【０１００】
第１実施形態に係るプロジェクター５００によれば、第１制御処理においては第１電極９２に与えられるエネルギーが大きくなるため、第１電極９２の溶融性が高まる。よって、第１電極９２の変形を抑制できる。また、第１実施形態に係るプロジェクター５００によれば、第２制御処理においては第２電極に与えられるエネルギーが大きくなるため、第２電極９３の溶融性が高まる。よって、第２電極９３の変形を抑制できる。したがって、第１制御処理及び第２制御処理を行うことにより、第１電極９２及び第２電極９３の変形を抑制できる。
【０１０１】
また、第１実施形態に係るプロジェクター５００によれば、制御部４０は、駆動電流Ｉの絶対値が、第１期間で最小となり、第２期間で最大となるように放電灯駆動部２３０を制御するため、第１期間及び第２期間を通じた平均駆動電力を一定にしたまま駆動すると、第１期間では平均駆動電力で駆動している場合よりも暗く、第２期間では平均駆動電力で駆動している場合よりも明るく映像を投影できる。第１期間では、右シャッター４１２及び左シャッター４１４の両方とも閉じている期間があるため、投影される映像が暗くても映像品質に影響を与えにくい。一方、第２期間では、右シャッター４１２及び左シャッター４１４のいずれか一方が開いた状態であり、ユーザーに対して投影される映像を平均駆動電力で駆動している場合よりも明るく見せることができる。したがって、映像を明るく見えるように投影できるプロジェクターを実現できる。また、第１期間で映像を暗く投影することにより、クロストークの発生を抑制できる。また、映像を明るく見せるために平均駆動電力を上げる必要性が抑えられるため、プロジェクターの消費電力を抑制できる。これにより、平均駆動電力を上げることに伴う周辺部品の劣化を抑制することができる。
【０１０２】
第１実施形態に係るプロジェクター５００において、制御部４０は、時間的に隣り合う第１制御期間に挟まれる期間の少なくとも一部となる期間において、第２制御を行ってもよい。
【０１０３】
図８に示される例では、時刻ｔ１１から時刻ｔ１５までの第１制御期間と、時刻ｔ１９から時刻ｔ２３までの第１制御期間とが時間的に隣り合っている。これらの２つの第１制御期間に挟まれる期間となる時刻ｔ１５から時刻ｔ１９までの期間が第２制御期間となっている。すなわち、図８に示される例では、時間的に隣り合う第１制御期間に挟まれる期間の全てが第２制御期間となっている。よって、図８に示される例では、第１制御期間と第２制御期間とが交互に繰り返されている。
【０１０４】
時間的に隣り合う第１制御期間に挟まれる期間の少なくとも一部となる期間において、第２制御を行うことにより、放電灯９０の第１電極９２と第２電極９３との熱負荷バランスを保つことができる。したがって、放電灯の電極が偏って消耗することを抑制できる。
【０１０５】
１−６．変形例１
図１０（Ａ）は、第１制御における他の波形例を示すタイミングチャート、図１０（Ｂ）は、第２制御における他の波形例を示すタイミングチャートである。図１０（Ａ）及び図１０（Ｂ）の横軸は時間、縦軸は駆動電流Ｉの電流値を表す。また、図１０（Ａ）及び図１０（Ｂ）においては、第１電極９２が陽極となる場合の駆動電流Ｉを正値、第２電極９３が陽極となる場合の駆動電流Ｉを負値として表す。
【０１０６】
図９（Ａ）及び図９（Ｂ）に示される波形例と、図１０（Ａ）及び図１０（Ｂ）に示される波形例とでは、第２期間における波形が異なる。すなわち、第１実施形態と変形例１とでは、第１制御処理及び第２制御処理の内容が異なり、他の構成は同様である。したがって、以下では、第１制御処理及び第２制御処理の内容についてのみ説明する。
【０１０７】
図１０（Ａ）に示される例では、制御部４０は、第１制御処理（第２期間における第１制御）では、駆動電流Ｉとして、１周期に占める第１電極９２が陽極になる時間が、第２電極９３が陽極になる時間よりも長い交流電流を放電灯９０に供給させるように放電灯駆動部２３０を制御している。図１０（Ａ）に示される例では、放電灯駆動部２３０が第２期間内において駆動電流Ｉの電流値の絶対値を一定にしたまま極性を反転させることにより１周期に相当する交流電流を生成して、駆動電流Ｉとして放電灯９０に供給するように、制御部４０が放電灯駆動部２３０を制御している。また、第１極性の継続する時間が、第２極性の継続する時間よりも長くなるようなタイミングで駆動電流Ｉの極性を反転させるように、制御部４０が放電灯駆動部２３０を制御している。これにより、簡易な制御で第１制御処理を実現できる。
【０１０８】
また、図１０（Ｂ）に示される例では、制御部４０は、第２制御処理（第２期間における第２制御）では、駆動電流Ｉとして、１周期に占める第２電極９３が陽極になる時間が、第１電極９２が陽極になる時間よりも長い交流電流を放電灯９０に供給させるように放電灯駆動部２３０を制御している。図１０（Ｂ）に示される例では、放電灯駆動部２３０が第２期間内において駆動電流Ｉの電流値の絶対値を一定にしたまま極性を反転させることにより１周期に相当する交流電流を生成して、駆動電流Ｉとして放電灯９０に供給するように、制御部４０が放電灯駆動部２３０を制御している。また、第２極性の継続する時間が、第１極性の継続する時間よりも長くなるようなタイミングで駆動電流Ｉの極性を反転させるように、制御部４０が放電灯駆動部２３０を制御している。これにより、簡易な制御で第２制御処理を実現できる。
【０１０９】
変形例１によれば、第１制御処理においては第１電極９２に与えられるエネルギーが大きくなるため、第１電極９２の溶融性が高まる。よって、第１電極９２の変形を抑制できる。また、変形例１によれば、第２制御処理においては第２電極に与えられるエネルギーが大きくなるため、第２電極９３の溶融性が高まる。よって、第２電極９３の変形を抑制できる。したがって、第１制御処理及び第２制御処理を行うことにより、第１電極９２及び第２電極９３の変形を抑制できる。
【０１１０】
１−７．変形例２
図１１（Ａ）は、第１制御における他の波形例を示すタイミングチャート、図１１（Ｂ）は、第２制御における他の波形例を示すタイミングチャートである。図１１（Ａ）及び図１１（Ｂ）の横軸は時間、縦軸は駆動電流Ｉの電流値を表す。また、図１１（Ａ）及び図１１（Ｂ）においては、第１電極９２が陽極となる場合の駆動電流Ｉを正値、第２電極９３が陽極となる場合の駆動電流Ｉを負値として表す。
【０１１１】
図９（Ａ）及び図９（Ｂ）に示される波形例と、図１１（Ａ）及び図１１（Ｂ）に示される波形例とでは、第２期間における波形が異なる。すなわち、第１実施形態と変形例２とでは、第１制御処理及び第２制御処理の内容が異なり、他の構成は同様である。したがって、以下では、第１制御処理及び第２制御処理の内容についてのみ説明する。
【０１１２】
図１１（Ａ）に示される例では、制御部４０は、第１制御処理（第２期間における第１制御）では、駆動電流Ｉとして、交流電流を供給させる期間と、第１電極９２が陽極となる直流電流を放電灯９０に供給させる期間と、を含むように放電灯駆動部２３０を制御している。図１１（Ａ）に示される例では、交流電流を供給させる期間においては、放電灯駆動部２３０が第２期間内において駆動電流Ｉの電流値の絶対値を一定にしたまま極性を反転させることにより１周期に相当する交流電流を生成して、駆動電流Ｉとして放電灯９０に供給するように、制御部４０が放電灯駆動部２３０を制御している。また、図１１（Ａ）に示される例では、直流電流を供給させる期間においては、放電灯駆動部２３０が第２期間内において駆動電流Ｉの電流値の絶対値を一定にした直流電流を、駆動電流Ｉとして放電灯９０に供給するように、制御部４０が放電灯駆動部２３０を制御している。これにより、簡易な制御で第１制御処理を実現できる。
【０１１３】
図１１（Ｂ）に示される例では、制御部４０は、第２制御処理（第２期間における第１制御）では、駆動電流Ｉとして、交流電流を供給させる期間と、第２電極９３が陽極となる直流電流を放電灯９０に供給させる期間と、を含むように放電灯駆動部２３０を制御している。図１１（Ｂ）に示される例では、交流電流を供給させる期間においては、放電灯駆動部２３０が第２期間内において駆動電流Ｉの電流値の絶対値を一定にしたまま極性を反転させることにより１周期に相当する交流電流を生成して、駆動電流Ｉとして放電灯９０に供給するように、制御部４０が放電灯駆動部２３０を制御している。また、図１１（Ｂ）に示される例では、直流電流を供給させる期間においては、放電灯駆動部２３０が第２期間内において駆動電流Ｉの電流値の絶対値を一定にした直流電流を、駆動電流Ｉとして放電灯９０に供給するように、制御部４０が放電灯駆動部２３０を制御している。これにより、簡易な制御で第２制御処理を実現できる。
【０１１４】
なお、図１１（Ａ）及び図１１（Ｂ）に示される例では、第２期間の最初に交流電流を供給させ、第２期間の最後に直流電流を供給させる制御を行っているが、交流電流と直流電流の順序は任意である。
【０１１５】
変形例２によれば、第１制御処理においては第１電極９２に与えられるエネルギーが大きくなるため、第１電極９２の溶融性が高まる。よって、第１電極９２の変形を抑制できる。また、変形例２によれば、第２制御処理においては第２電極に与えられるエネルギーが大きくなるため、第２電極９３の溶融性が高まる。よって、第２電極９３の変形を抑制できる。したがって、第１制御処理及び第２制御処理を行うことにより、第１電極９２及び第２電極９３の変形を抑制できる。
【０１１６】
２．第２実施形態に係るプロジェクター
次に、第２実施形態に係るプロジェクター５００について説明する。第２実施形態に係るプロジェクター５００の光学系や回路等の構成は、第１実施形態に係るプロジェクター５００と同様である。したがって、以下では、第２実施形態に係るプロジェクター５００における駆動電流Ｉの制御の具体例について説明する。なお、駆動信号５７２Ｒ，５７２Ｇ，５７２Ｂの内容、右シャッター４１２の開閉状態、左シャッター４１４の開閉状態、第１期間と第２期間、切替タイミングの時間的関係については、図７を用いて既に説明した通りである。
【０１１７】
図１２は、切替タイミングと、第１制御期間、第２制御期間及び第３制御期間との関係を説明するための図である。図１２の横軸は時間を表す。また、時刻ｔ１１〜ｔ２７は切替タイミングである。第１制御期間は、制御部４０が第１制御を行う期間であり、第２制御期間は、制御部４０が第２制御を行う期間であり、第３制御期間は、制御部４０が第３制御を行う期間である。なお、第１制御及び第２制御の内容は、第１実施形態と同様であるので、詳細な説明を省略する。
【０１１８】
第２実施形態に係るプロジェクター５００において、制御部４０は、少なくとも時間的に隣り合う切替タイミングに挟まれる期間中継続し第１制御期間及び第２制御期間とは異なる第３制御期間に第３制御を行う。図１２に示される例では、第１制御、第２制御及び第３制御は、時間的に隣り合う切替タイミングに挟まれる期間の２倍の長さの期間中継続している。例えば、図１２において最初の第１制御期間は、切替タイミングとなる時刻ｔ１３から、切替タイミングとなる時刻ｔ１５までの期間中継続している。また、図１２において最初の第２制御期間は、切替タイミングとなる時刻ｔ１７から、切替タイミングとなる時刻ｔ１９までの期間中継続している。さらに、図１２において最初の第３制御期間は、切替タイミングとなる時刻ｔ１１から、切替タイミングとなる時刻ｔ１３までの期間中継続している。なお、第１制御、第２制御及び第３制御が継続する時間の長さは、放電灯９０の仕様に応じて適宜設定することができる。
【０１１９】
図１３は、第３制御における波形例を示すタイミングチャートである。図１３の横軸は時間、縦軸は駆動電流Ｉの電流値を表す。また、図１３においては、第１電極９２が陽極となる場合の駆動電流Ｉを正値、第２電極９３が陽極となる場合の駆動電流Ｉを負値として表す。
【０１２０】
第２実施形態に係るプロジェクター５００において、制御部４０は、第３制御において、駆動電流Ｉの絶対値が、第１期間では第２期間に比べて相対的に小さくなり、第２期間では第１期間に比べて相対的に大きくなるように放電灯駆動部２３０を制御する。
【０１２１】
図１３に示される例では、駆動電流Ｉの電流値の絶対値は、第１期間ではＩ１、第２期間ではＩ２となっている。また、図１３に示される例では、Ｉ１＜Ｉ２である。したがって、第３制御において、駆動電流Ｉの絶対値が、第１期間では相対的に小さくなり、第２期間では相対的に大きくなっている。
【０１２２】
なお、図１３に示される例では、第１期間における駆動電流Ｉの絶対値及び第２期間における駆動電流Ｉの絶対値は、それぞれの期間内で一定であるが、これに限られない。例えば、第１期間における駆動電流Ｉの絶対値及び第２期間における駆動電流Ｉの絶対値が、それぞれの期間内で変化する場合には、制御部４０は、それぞれの期間内における駆動電流Ｉの絶対値の平均値が、第１期間では相対的に小さくなり、第２期間では相対的に大きくなるように放電灯駆動部２３０を制御してもよい。また例えば、第１期間における駆動電流Ｉの絶対値及び第２期間における駆動電流Ｉの絶対値が、それぞれの期間内で変化する場合には、制御部４０は、第１期間で駆動電流Ｉの絶対値の最小値をとり、第２期間で駆動電流Ｉの絶対値の最大値をとるように放電灯駆動部２３０を制御してもよい。
【０１２３】
第２実施形態に係るプロジェクター５００において、制御部４０は、第３制御において、第１期間では、駆動電流Ｉとして交流電流を放電灯９０に供給させるように放電灯駆動部２３０を制御してもよい。図１３に示される例では、放電灯駆動部２３０が第１期間内において駆動電流Ｉの電流値の絶対値を一定にしたまま極性を反転させることにより１周期に相当する交流電流を生成して、駆動電流Ｉとして放電灯９０に供給するように、制御部４０が放電灯駆動部２３０を制御している。また、図１３に示される例では、１回の第１期間において４周期分の交流電流が駆動電流Ｉとして放電灯９０に供給されている。交流電流の周波数は、放電灯９０の特性に応じて実験的に決定することができる。例えば、交流電流の周波数を３０Ｈｚ〜１ｋＨｚの範囲で選択してもよい。
【０１２４】
なお、第２実施形態に係るプロジェクター５００において、制御部４０は、第３制御において、第１期間では、駆動電流Ｉとして直流電流を放電灯９０に供給させるように放電灯駆動部２３０を制御してもよい。この場合、例えば、時間的に１つの第２期間を挟む２つの第１期間では、駆動電流Ｉとして互いに逆極性となる直流電流を放電灯９０に供給させるように放電灯駆動部２３０を制御してもよい。これにより、放電灯の電極の熱負荷バランスを保つことができる。したがって、放電灯の電極が偏って消耗することを抑制できる。
【０１２５】
第２実施形態に係るプロジェクター５００において、制御部４０は、第３制御において、第２期間中に第１電極９２に与えられるエネルギーと第２電極９３に与えられるエネルギーとの差が、第１制御及び第２制御の場合よりも小さい駆動電流Ｉを放電灯９０に供給させるように放電灯駆動部２３０を制御する。すなわち、第３制御における第２期間中に第１電極９２に与えられるエネルギーと第２電極９３に与えられるエネルギーとの差は、第１制御における第２期間中に第１電極９２に与えられるエネルギーと第２電極９３に与えられるエネルギーとの差よりも小さく、第２制御における第２期間中に第１電極９２に与えられるエネルギーと第２電極９３に与えられるエネルギーとの差よりも小さい。
【０１２６】
図１３に示される例では、第２実施形態に係るプロジェクター５００において、制御部４０は、第３制御において、第２期間では、駆動電流Ｉとして、交流電流を放電灯９０に供給させるように放電灯駆動部２３０を制御している。図１３に示される例では、放電灯駆動部２３０が第２期間内において駆動電流Ｉの電流値の絶対値を一定にしたまま極性を反転させることにより１周期に相当する交流電流を生成して、駆動電流Ｉとして放電灯９０に供給するように、制御部４０が放電灯駆動部２３０を制御している。また、図１３に示される例では、第１極性の継続する時間と、第２極性の継続する時間とが同じ長さになるようなタイミングで駆動電流Ｉの極性を反転させるように、制御部４０が放電灯駆動部２３０を制御している。図１３に示される例では、１回の第２期間において２周期分の交流電流が駆動電流Ｉとして放電灯９０に供給されている。
【０１２７】
なお、第２実施形態に係るプロジェクター５００において、制御部４０は、第３制御の第２期間において、第１極性の継続する時間と、第２極性の継続する時間とが異なるようなタイミングで駆動電流Ｉの極性を反転させるように、放電灯駆動部２３０を制御してもよい。その場合、第１制御及び第２制御における第１極性の継続する時間と第２極性の継続する時間との差よりも小さい差となるように、駆動電流Ｉの極性を反転させるように制御部４０が放電灯駆動部２３０を制御してもよい。
【０１２８】
このように、第３制御においては、第１制御及び第２制御と比べて、全体として放電灯９０の電極の熱負荷バランスを保つような（熱負荷バランスの偏りが小さい）駆動電流Ｉを放電灯９０に供給させるように放電灯駆動部２３０を制御している。
【０１２９】
第２実施形態に係るプロジェクター５００において、制御部４０は、時間的に隣り合う第３制御期間に挟まれる期間において、第１制御及び第２制御の少なくとも一方を行ってもよい。
【０１３０】
図１２に示される例では、時刻ｔ１１から時刻ｔ１３までの第３制御期間と、時刻ｔ１５から時刻ｔ１７までの第３制御期間とが時間的に隣り合っている。これらの２つの第３制御期間に挟まれる期間となる時刻ｔ１３から時刻ｔ１５までの期間が第１制御期間となっている。また、図１２に示される例では、時刻ｔ１５から時刻ｔ１７までの第３制御期間と、時刻ｔ１９から時刻ｔ２１までの第３制御期間とが時間的に隣り合っている。これらの２つの第３制御期間に挟まれる期間となる時刻ｔ１７から時刻ｔ１９までの期間が第２制御期間となっている。
【０１３１】
このように、制御部４０が、時間的に隣り合う第３制御期間に挟まれる期間において、第１制御及び第２制御の少なくとも一方を行うことにより、第１制御及び第２制御によって電極の溶融性が高まりすぎることに起因する黒化などの弊害を抑制できる。
【０１３２】
また、図１２に示されるように、第２実施形態においても、第１実施形態と同様に、第１制御期間に第１制御を行い、時間的に隣り合う第１制御期間に挟まれる期間の少なくとも一部となる第２制御期間において、第２制御を行っている。これにより、放電灯９０の第１電極９２と第２電極９３との熱負荷バランスを保つことができる。したがって、放電灯の電極が偏って消耗することを抑制できる。
【０１３３】
３．第３実施形態に係るプロジェクター
次に、第３実施形態に係るプロジェクター５００について説明する。第３実施形態に係るプロジェクター５００の光学系や回路等の構成は、第１実施形態に係るプロジェクター５００と同様である。したがって、以下では、第３実施形態に係るプロジェクター５００における駆動電流Ｉの制御の具体例について説明する。また、第１制御、第２制御及び第３制御の内容は、第１実施形態及び第２実施形態と同様であるので、詳細な説明を省略する。
【０１３４】
第３実施形態に係るプロジェクター５００は、放電灯９０の劣化状態を検出する状態検出部（電圧検出部６０）を含み、制御部４０は、劣化状態の進行に伴って、第３制御期間の長さを短くする。
【０１３５】
状態検出部は、劣化状態の程度を表す値として、例えば、放電灯９０の駆動電圧Ｖｌａ、放電灯９０の駆動電圧Ｖｌａの時間変化、放電灯９０の光量、放電灯９０の光量の時間変化、放電灯９０の累積点灯時間等を検出してもよい。第３実施形態においては、電圧検出部６０（状態検出部）が、放電灯９０の劣化状態として放電灯９０の駆動電圧Ｖｌａを検出する。
【０１３６】
図１４は、第３実施形態のプロジェクターの制御例を示すフローチャートである。図１４に示すフローチャートでは、放電灯９０が安定に点灯した後から消灯までの制御について示している。
【０１３７】
まず、電圧検出部６０が駆動電圧Ｖｌａを検出する（ステップＳ１００）。次に、制御部４０が、ステップＳ１００で検出した駆動電圧Ｖｌａに対応する駆動条件を、記憶部４４に記憶された対応関係から選択する（ステップＳ１０２）。
【０１３８】
図１５は、駆動条件の対応関係の一例を示す図である。図１５に示される例では、第１制御期間及び第２制御期間の長さは、時間的に隣り合う２つの切替タイミングに挟まれる期間の３倍の長さで一定である。また、第３制御期間の長さは、駆動電圧Ｖｌａが大きくなるほど（放電灯９０の劣化状態が進行するほど）短くなっている。図１５に示される例では、時間的に隣り合う２つの切替タイミングに挟まれる期間の長さを基準とした第３制御期間の長さは、駆動電圧Ｖｌａが８０Ｖ未満の場合には３倍の長さ、駆動電圧Ｖｌａが８０Ｖ以上９５Ｖ未満の場合には２倍の長さ、駆動電圧Ｖｌａが９５Ｖ以上の場合には１倍の長さとなっている。
【０１３９】
図１４のステップＳ１０２で駆動条件を選択した後に、制御部４０は、駆動条件を変更する必要があるか否かを判定する（ステップＳ１０４）。制御部４０が、駆動条件を変更する必要があるものと判定した場合（ステップＳ１０４でＹＥＳの場合）には、ステップＳ１０２で選択した駆動条件に変更して放電灯９０を駆動する（ステップＳ１０６）。制御部４０が、駆動条件を変更する必要がないものと判定した場合（ステップＳ１０４でＮＯの場合）には、従前の駆動条件で放電灯９０を駆動し続ける。
【０１４０】
ステップＳ１０４でＮＯの場合及びステップＳ１０６の後に、制御部４０は、放電灯９０の消灯命令があるか否かを判定する（ステップＳ１０８）。制御部４０が、消灯命令があるものと判定した場合（ステップＳ１０８でＹＥＳの場合）には、放電灯９０の点灯を終了（消灯）する。制御部４０が、消灯命令がないものと判定した場合（ステップＳ１０８でＮＯの場合）には、消灯命令があるまでステップＳ１００〜ステップＳ１０８までの制御を繰り返す。
【０１４１】
放電灯９０の第１電極９２及び第２電極９３の劣化状態が進行すると、第１電極９２と第２電極９３との距離（電極間距離）が大きくなる。電極間距離が大きくなると駆動電圧Ｖｌａは上昇する。すなわち、劣化状態の進行に伴って駆動電圧Ｖｌａは上昇する。
【０１４２】
したがって、第３実施形態のプロジェクター５００では、駆動電圧Ｖｌａの上昇（劣化状態の進行）に伴って、第３制御期間の長さを短くする。放電灯９０の劣化状態が進行すると電極の溶融性が低下する。したがって、放電灯９０の劣化状態の進行に伴って第３制御期間の長さを短くして第１制御及び第２制御の頻度を高めることにより電極の溶融性を高め、電極の変形を抑制できる。また、放電灯９０の劣化状態が進行していない場合には、必要以上に電極の溶融性を高めないことにより、電極の溶融性が高まりすぎることに起因する黒化などの弊害を抑制できる。
【０１４３】
４．第４実施形態に係るプロジェクター
次に、第４実施形態に係るプロジェクター５００について説明する。第４実施形態に係るプロジェクター５００の光学系や回路等の構成は、第１実施形態に係るプロジェクター５００と同様である。したがって、以下では、第４実施形態に係るプロジェクター５００における駆動電流Ｉの制御の具体例について説明する。また、第１制御、第２制御及び第３制御の内容は、第１実施形態及び第２実施形態と同様であるので、詳細な説明を省略する。
【０１４４】
第４実施形態に係るプロジェクター５００は、放電灯９０の劣化状態を検出する状態検出部（電圧検出部６０）を含み、制御部４０は、劣化状態の進行に伴って、第１制御期間及び第２制御期間の長さを長くする。
【０１４５】
状態検出部は、劣化状態の程度を表す値として、例えば、放電灯９０の駆動電圧Ｖｌａ、放電灯９０の駆動電圧Ｖｌａの時間変化、放電灯９０の光量、放電灯９０の光量の時間変化、放電灯９０の累積点灯時間等を検出してもよい。第４実施形態においては、電圧検出部６０（状態検出部）が、放電灯９０の劣化状態として放電灯９０の駆動電圧Ｖｌａを検出する。
【０１４６】
第４実施形態における制御フローは、図１４を用いて説明した第３実施形態における制御フローと同様であり、ステップＳ１０２で選択される駆動条件の対応関係のみが異なる。
【０１４７】
図１６は、駆動条件の対応関係の一例を示す図である。図１６に示される例では、第３制御期間の長さは、時間的に隣り合う２つの切替タイミングに挟まれる期間の３倍の長さで一定である。また、第１制御期間及び第２制御期間の長さは、駆動電圧Ｖｌａが大きくなるほど（放電灯９０の劣化状態が進行するほど）長くなっている。図１６に示される例では、時間的に隣り合う２つの切替タイミングに挟まれる期間の長さを基準とした第１制御期間及び第２制御期間の長さは、駆動電圧Ｖｌａが８０Ｖ未満の場合には１倍の長さ、駆動電圧Ｖｌａが８０Ｖ以上９５Ｖ未満の場合には２倍の長さ、駆動電圧Ｖｌａが９５Ｖ以上の場合には３倍の長さとなっている。
【０１４８】
放電灯９０の第１電極９２及び第２電極９３の劣化状態が進行すると、第１電極９２と第２電極９３との距離（電極間距離）が大きくなる。電極間距離が大きくなると駆動電圧Ｖｌａは上昇する。すなわち、劣化状態の進行に伴って駆動電圧Ｖｌａは上昇する。
【０１４９】
したがって、第４実施形態のプロジェクター５００では、駆動電圧Ｖｌａの上昇（劣化状態の進行）に伴って、第１制御期間及び第２制御期間の長さを長くする。放電灯９０の劣化状態が進行すると電極の溶融性が低下する。したがって、放電灯９０の劣化状態の進行に伴って第１制御期間及び第２制御期間の長さを長くすることにより電極の溶融性を高め、電極の変形を抑制できる。また、放電灯９０の劣化状態が進行していない場合には、必要以上に電極の溶融性を高めないことにより、電極の溶融性が高まりすぎることに起因する黒化などの弊害を抑制できる。
【０１５０】
なお、第３実施形態においては、放電灯９０の劣化状態が進行するほど第３制御期間の長さを短くする例について、第４実施形態においては、放電灯９０の劣化状態が進行するほど第１制御期間及び第２制御期間の長さを長くする例について説明したが、これらを組み合わせることも可能である。
【０１５１】
上記各実施形態では、プロジェクター５００は、第１映像及び第２映像をそれぞれ左目用映像及び右目用映像として表示映像を観察者に立体視させる構成としていたが、これに限らない。例えば、プロジェクターとして、第１映像及び第２映像をコンテンツの異なる映像とし、２つの表示映像（第１映像及び第２映像）を異なる観察者にそれぞれ視認させる構成を採用しても構わない。
【０１５２】
このように構成した場合には、アクティブシャッターメガネとしては、前述した右シャッター４１２と同様に作用するシャッターを左右に設けた眼鏡、及び前述した左シャッター４１４と同様に作用するシャッターを左右に設けた眼鏡の２種類を設ければよい。
【０１５３】
上記各実施形態においては、３つの液晶パネルを用いたプロジェクターを例示して説明したが、本発明はこれに限定されるものではなく、１つ、２つ又は４つ以上の液晶パネルを用いたプロジェクターにも適用可能である。
【０１５４】
上記各実施形態においては、透過型のプロジェクターを例示して説明したが、本発明はこれに限定されるものではなく、反射型のプロジェクターにも適用することが可能である。ここで、「透過型」とは、透過型の液晶パネル等のように光変調手段としての電気光学変調装置が光を透過するタイプであることを意味しており、「反射型」とは、反射型の液晶パネルやマイクロミラー型光変調装置などのように光変調手段としての電気光学変調装置が光を反射するタイプであることを意味している。マイクロミラー型光変調装置としては、例えば、ＤＭＤ（デジタルマイクロミラーデバイス；Texas Instruments社の商標）を用いることができる。反射型のプロジェクターにこの発明を適用した場合にも、透過型のプロジェクターと同様の効果を得ることができる。
【０１５５】
本発明は、投写画像を観察する側から投写するフロント投写型プロジェクターに適用する場合にも、投写画像を観察する側とは反対の側から投写するリア投写型プロジェクターに適用する場合にも可能である。
【０１５６】
なお、本発明は上述の実施形態に限定されず、本発明の要旨の範囲内で種々の変形実施が可能である。
【０１５７】
本発明は、実施の形態で説明した構成と実質的に同一の構成（例えば、機能、方法及び結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【符号の説明】
【０１５８】
１０  放電灯点灯装置、２０  電力制御回路、２１  スイッチ素子、２２  ダイオード、２３  コイル、２４  コンデンサー、３０  極性反転回路、３１  第１のスイッチ素子、３２  第２のスイッチ素子、３３  第３のスイッチ素子、３４  第４のスイッチ素子、４０  制御部、４１  システムコントローラー、４２  電力制御回路コントローラー、４３  極性反転回路コントローラー、４４  記憶部、５０  副反射鏡、６０  電圧検出部、６１  第１の抵抗、６２  第２の抵抗、６３  第３の抵抗、７０  イグナイター回路、８０  直流電源装置、９０  放電灯、９０ｅ１  第１端部、９０ｅ２  第２端部、９１  放電空間、９２  第１電極、９３  第２電極、１１２  主反射鏡、１１４  固定部材、２００  光源装置、２１０  光源ユニット、２３０  放電灯駆動部、３０５  平行化レンズ、３１０  照明光学系、３２０  色分離光学系、３３０Ｒ，３３０Ｇ，３３０Ｂ  液晶ライトバルブ、３４０  クロスダイクロイックプリズム、３５０  投写光学系、４００  プロジェクターシステム、４１０  アクティブシャッターメガネ、４１２  右シャッター、４１４  左シャッター、５００  プロジェクター、５０２  画像信号、５１０  画像信号変換部、５１２Ｒ，５１２Ｇ，５１２Ｂ  画像信号、５１４  同期信号、５２２  固定部材、５３４  導電性部材、５３６  第１端子、５４４  導電性部材、５４６  第２端子、５５２ｐ  突起、５６０Ｒ，５６０Ｇ，５６０Ｂ  液晶パネル、５６２ｐ  突起、５７０  画像処理装置、５７２Ｒ，５７２Ｇ，５７２Ｂ  駆動信号、５８２  通信信号、５８４  通信信号、６００  交流電源、７００  スクリーン
【図１】
0005565584.tif 000002
【図２】
0005565584.tif 000003
【図３】
0005565584.tif 000004
【図４】
0005565584.tif 000005
【図５】
0005565584.tif 000006
【図６】
0005565584.tif 000007
【図７】
0005565584.tif 000008
【図８】
0005565584.tif 000009
【図９】
0005565584.tif 000010
【図１０】
0005565584.tif 000011
【図１１】
0005565584.tif 000012
【図１２】
0005565584.tif 000013
【図１３】
0005565584.tif 000014
【図１４】
0005565584.tif 000015
【図１５】
0005565584.tif 000016
【図１６】
0005565584.tif 000017